【手続補正書】
【提出日】令和2年6月15日(2020.6.15)
【手続補正１】
【補正対象書類名】特許請求の範囲
【補正対象項目名】全文
【補正方法】変更
【補正の内容】
【特許請求の範囲】
【請求項１】
画像形成装置であって、
感光体と、
前記感光体を露光する光を出射する光出射面を有する露光ヘッドと、
前記感光体を露光する位置である露光位置から前記露光位置よりも前記感光体から離れた位置である離間位置へ前記露光ヘッドを移動させる移動機構と、
前記移動機構によって移動される前記露光ヘッドを前記離間位置で停止させるストッパーであって、前記露光ヘッドが当該移動の方向に向けて突き当たる前記ストッパーと、
前記画像形成装置の外側から挿入される前記光出射面を清掃するための清掃棒を、前記ストッパーに突き当たり前記離間位置で停止した前記露光ヘッドの前記光出射面に向けて案内する案内部と、を備えることを特徴とする画像形成装置。
【請求項２】
前記案内部は前記挿入の方向において前記露光ヘッドよりも上流に位置することを特徴とする請求項１に記載の画像形成装置。
【請求項３】
前記露光ヘッドは前記感光体を鉛直方向下方から露光し、
前記ストッパーは前記露光ヘッドよりも鉛直方向下方に位置することを特徴とする請求項１または請求項２に記載の画像形成装置。
【請求項４】
前記案内部は前記清掃棒が挿入される貫通孔であることを特徴とする請求項１から請求項３までのいずれか１項に記載の画像形成装置。
【請求項５】
前記画像形成装置の手前側に設けられ前記露光ヘッドの長手方向における前記露光ヘッドの一端側を支持する前側板と、前記画像形成装置の奥側に設けられ前記長手方向における前記露光ヘッドの他端側を支持する後側板と、を備え、
前記ストッパーは前記前側板に固定されていることを特徴とする請求項１から請求項４までのいずれか１項に記載の画像形成装置。
【請求項６】
前記案内部は前記前側板に固定されていることを特徴とする請求項５に記載の画像形成装置。
【請求項７】
前記案内部と前記ストッパーとは一体的に成形されていることを特徴とする請求項１から請求項６までのいずれか１項に記載の画像形成装置。
【請求項８】
画像形成装置であって、
感光体と、
前記感光体を露光する光を出射する光出射面を有する露光ヘッドであって、前記感光体を露光する位置である露光位置と前記露光位置よりも前記感光体から離れた位置である離間位置とに往復移動可能な前記露光ヘッドと、
前記感光体の回転軸線方向にスライド移動するスライド部材と、
前記スライド部材をスライド移動可能に支持する支持部材と、
前記露光ヘッドと前記スライド部材とに回動可能に取り付けられ前記露光ヘッドと前記スライド部材とを連結するリンク部材であって、前記スライド部材が前記支持部材に対してスライド移動することに応じて前記露光ヘッドを前記往復移動させる前記リンク部材と、
前記スライド部材の一方向へのスライド移動に応じて前記露光位置から前記離間位置へ向かう方向へ移動する前記露光ヘッドを、前記離間位置で停止させるために、前記支持部材に設けられ前記リンク部材の回動と前記スライド部材の前記一方向へのスライド移動とを停止させるストッパーであって、前記スライド部材が前記一方向に向けて突き当たる前記ストッパーと、
前記画像形成装置の外側から挿入される前記光出射面を清掃するための清掃棒を、前記ストッパーが前記離間位置で停止させた前記露光ヘッドの前記光出射面に向けて案内する案内部と、備えることを特徴とする画像形成装置。
【請求項９】
画像形成装置であって、
感光体と、
前記感光体を露光する光を出射する光出射面を有する露光ヘッドであって、前記感光体を露光する位置である露光位置と前記露光位置よりも前記感光体から離れた位置である離間位置とに往復移動可能な前記露光ヘッドと、
前記感光体の回転軸線方向にスライド移動するスライド部材と、
前記スライド部材をスライド移動可能に支持する支持部材と、
前記露光ヘッドと前記スライド部材とに回動可能に取り付けられ前記露光ヘッドと前記スライド部材とを連結するリンク部材であって、前記スライド部材が前記支持部材に対してスライド移動することに応じて前記露光ヘッドを前記往復移動させる前記リンク部材と、
前記リンク部材の一方向への回動に応じて前記露光位置から前記離間位置へ向かう方向へ移動する前記露光ヘッドを、前記離間位置で停止させるために、前記支持部材に設けられ前記リンク部材の回動を停止させるストッパーであって、前記一方向に回動する前記リンク部材が突き当たる前記ストッパーと、
前記画像形成装置の外側から挿入される前記光出射面を清掃するための清掃棒を、前記ストッパーが前記離間位置で停止させた前記露光ヘッドの前記光出射面に向けて案内する案内部と、備えることを特徴とする画像形成装置。
【請求項１０】
前記画像形成装置の手前側に設けられ前記露光ヘッドの長手方向における前記露光ヘッドの一端側を支持する前側板と、前記画像形成装置の奥側に設けられ前記長手方向における前記露光ヘッドの他端側を支持する後側板と、を備え、
前記支持部材は前記前側板と前記後側板とに固定されていることを特徴とする請求項８または請求項９に記載の画像形成装置。
【請求項１１】
前記案内部は前記前側板に固定されていることを特徴とする請求項１０に記載の画像形成装置。
【手続補正２】
【補正対象書類名】明細書
【補正対象項目名】０００９
【補正方法】変更
【補正の内容】
【０００９】
上記課題に対して、本願発明の画像形成装置は、感光体と、前記感光体を露光する光を出射する光出射面を有する露光ヘッドと、前記感光体を露光する位置である露光位置から前記露光位置よりも前記感光体から離れた位置である離間位置へ前記露光ヘッドを移動させる移動機構と、前記移動機構によって移動される前記露光ヘッドを前記離間位置で停止させるストッパーであって、前記露光ヘッドが当該移動の方向に向けて突き当たる前記ストッパーと、前記画像形成装置の外側から挿入される前記光出射面を清掃するための清掃棒を、前記ストッパーに突き当たり前記離間位置で停止した前記露光ヘッドの前記光出射面に向けて案内する案内部と、を備えることを特徴とする。
【手続補正３】
【補正対象書類名】明細書
【補正対象項目名】００１０
【補正方法】変更
【補正の内容】
【００１０】
また、本願発明の画像形成装置は、感光体と、前記感光体を露光する光を出射する光出射面を有する露光ヘッドであって、前記感光体を露光する位置である露光位置と前記露光位置よりも前記感光体から離れた位置である離間位置とに往復移動可能な前記露光ヘッドと、前記感光体の回転軸線方向にスライド移動するスライド部材と、前記スライド部材をスライド移動可能に支持する支持部材と、前記露光ヘッドと前記スライド部材とに回動可能に取り付けられ前記露光ヘッドと前記スライド部材とを連結するリンク部材であって、前記スライド部材が前記支持部材に対してスライド移動することに応じて前記露光ヘッドを前記往復移動させる前記リンク部材と、前記スライド部材の一方向へのスライド移動に応じて前記露光位置から前記離間位置へ向かう方向へ移動する前記露光ヘッドを、前記離間位置で停止させるために、前記支持部材に設けられ前記リンク部材の回動と前記スライド部材の前記一方向へのスライド移動とを停止させるストッパーであって、前記スライド部材が前記一方向に向けて突き当たる前記ストッパーと、前記画像形成装置の外側から挿入される前記光出射面を清掃するための清掃棒を、前記ストッパーが前記離間位置で停止させた前記露光ヘッドの前記光出射面に向けて案内する案内部と、備えることを特徴とする。
【手続補正４】
【補正対象書類名】明細書
【補正対象項目名】００１１
【補正方法】変更
【補正の内容】
【００１１】
また、本願発明の画像形成装置は、感光体と、前記感光体を露光する光を出射する光出射面を有する露光ヘッドであって、前記感光体を露光する位置である露光位置と前記露光位置よりも前記感光体から離れた位置である離間位置とに往復移動可能な前記露光ヘッドと、前記感光体の回転軸線方向にスライド移動するスライド部材と、前記スライド部材をスライド移動可能に支持する支持部材と、前記露光ヘッドと前記スライド部材とに回動可能に取り付けられ前記露光ヘッドと前記スライド部材とを連結するリンク部材であって、前記スライド部材が前記支持部材に対してスライド移動することに応じて前記露光ヘッドを前記往復移動させる前記リンク部材と、前記リンク部材の一方向への回動に応じて前記露光位置から前記離間位置へ向かう方向へ移動する前記露光ヘッドを、前記離間位置で停止させるために、前記支持部材に設けられ前記リンク部材の回動を停止させるストッパーであって、前記一方向に回動する前記リンク部材が突き当たる前記ストッパーと、前記画像形成装置の外側から挿入される前記光出射面を清掃するための清掃棒を、前記ストッパーが前記離間位置で停止させた前記露光ヘッドの前記光出射面に向けて案内する案内部と、備えることを特徴とする。
【手続補正５】
【補正対象書類名】明細書
【補正対象項目名】００１２
【補正方法】変更
【補正の内容】
【００１２】
本発明によれば、露光ヘッドが露光位置から離間位置に向けて移動していくと、露光ヘッドがストッパーに突き当たる。これにより、露光ヘッドが離間位置で停止するため、案内部に案内される清掃棒によって光出射面を十分に清掃することができる。